(57)【要約】【課題】衛生的で手が汚れることがなく、かつコストがかからない清掃用具であって、特にトイレの清掃に好適な清掃用具を提供する。【解決手段】グリップ部と、グリップ部に固定して設けられた略板状の本体部と、本体部に開閉可能に設けられた略板状の開閉部と、本体部に摺動可能に設けられ、開閉部が閉じた状態で、本体部および開閉部の周囲を覆って固定する環状の固定用カバーと、を具備することを特徴とする清掃用具。【選択図】図１
0003140187.tif 000002
【実用新案登録請求の範囲】
【請求項１】
グリップ部と、
前記グリップ部に固定して設けられた略板状の本体部と、
前記本体部に開閉可能に設けられた略板状の開閉部と、
前記本体部に摺動可能に設けられ、前記開閉部が閉じた状態で、前記本体部および前記開閉部の周囲を覆って固定する環状の固定用カバーと、
を具備することを特徴とする清掃用具。
【請求項２】
前記本体部の面のうちの前記開閉部に対向する面と反対側の面、および、前記開閉部の面のうちの前記本体部に対向する面と反対側の面、のうちの少なくとも一方に傾斜部を有し、
摺動させた前記固定用カバーが前記傾斜部上において前記本体部および前記開閉部の周囲を覆って固定すること、
を特徴とする請求項１に記載の清掃用具。
【請求項３】
前記本体部の面のうちの前記開閉部に対向する面、および、前記開閉部の面のうちの前記本体部に対向する面、のうちの少なくとも一方が、互いに対向する面に突条部を有すること、
を特徴とする請求項１または２に記載の清掃用具。
【請求項４】
前記開閉部が、ヒンジ部を介して前記本体部に開閉可能に設けられていること、
を特徴とする請求項１〜３のうちのいずれかに記載の清掃用具。
【考案の詳細な説明】
【技術分野】
【０００１】
本考案は、特にトイレの清掃に便利な清掃用具に関する。
【背景技術】
【０００２】
トイレを清掃する場合には、尿の飛び散りや、便器や床のちょっとした汚れを取り除くことを目的とする場合であっても、例えばブラシで汚れをこすった後に、雑巾で拭取るということが行われている。そして、上記のような雑巾としては、従来からタオル地の雑巾などが用いられている。
【０００３】
上記のようなブラシは、頑固な汚れを取り除くには適しているが、清掃の後に洗浄してトイレ内などに設置しておき、繰り返し用いられるものであるため、場合によってはカビが発生して衛生的に好ましくなく、清潔感に欠けるという問題がある。
【０００４】
また、上記のような雑巾としては、従来からタオル地の雑巾などが用いられているが、このような雑巾は、清掃の後に水洗などして何度も繰り返して用いられることから、場合によってはカビが発生したり臭いが付いたりし、やはり衛生的に好ましくなく、清潔感に欠けるという問題がある。
【０００５】
これに対し、例えば不織布に界面活性剤やアルコールなどを含浸させた使い捨ての化学雑巾などが広く普及してきている。かかる使い捨ての化学雑巾は、使用の度に新しいものが用いられることから、衛生的には好ましいが、依然として手で持って清掃に用いることが必要であるため、誤って手が汚れる場合がある。
【０００６】
そこで、例えば特許文献１においては、交換可能で使い捨て可能なブラシヘッドを備えたタイプの改良されたトイレブラシを提供することを意図して、低部締着ジョーを有する取っ手と、前記ジョー内での保持に適するブラシヘッドとを備えるトイレブラシであって、前記ブラシヘッドが、互いの頂部に配置されてこのような層の積み重ねを形成する水分解性材料の複数の層を含む、トイレブラシが提案されている。
【特許文献１】特表２００７−５３００８１号公報
【考案の開示】
【考案が解決しようとする課題】
【０００７】
しかしながら、上記のトイレブラシは、互いに頂部に配置されてこのような層の積み重ねを形成する水分解性材料の複数の層を含み、前記複数の層の少なくとも一つの層が、折り畳まれた水分解性材料のシートから形成されているという特殊なブラシヘッドを用いる必要があり、コストがかかってしまうという問題がある。
【０００８】
そこで、本考案の目的は、衛生的で手が汚れることがなく、かつコストがかからない清掃用具であって、特にトイレの清掃に好適な清掃用具を提供することにある。
【課題を解決するための手段】
【０００９】
上記の課題を解決すべく、本考案は、
グリップ部と、
前記グリップ部に固定して設けられた略板状の本体部と、
前記本体部に開閉可能に設けられた略板状の開閉部と、
前記本体部に摺動可能に設けられ、前記開閉部が閉じた状態で、前記本体部および前記開閉部の周囲を覆って固定する環状の固定用カバーと、
を具備することを特徴とする清掃用具を提供する。
【００１０】
このような構成によれば、前記開閉部にコストの安いトイレットペーパー、タオルまたはガーゼなどを巻きつけ、前記開閉部が前記本体部に対して閉じ、前記固定用カバーで前記本体部および前記開閉部の周囲を覆って固定することにより、手を汚さずに清掃をすることができるとともに用いたトイレットペーパーなどを捨てることができ、前記清掃用具も衛生的である。
【００１１】
上記本考案の清掃用具においては、前記本体部の面のうちの前記開閉部に対向する面と反対側の面、および、前記開閉部の面のうちの前記本体部に対向する面と反対側の面、のうちの少なくとも一方に傾斜部を有し、摺動させた前記固定用カバーが前記傾斜部上において前記本体部および前記開閉部の周囲を覆って固定すること、が好ましい。
【００１２】
このような構成によれば、前記本体部と前記開閉部とが閉じた状態（接触した状態）で両者を固定することができ、確実にトイレットペーパーなどを把持して、本考案の清掃用具を効果的にトイレなどの清掃に用いることができる。
【００１３】
また、前記本体部の面のうちの前記開閉部に対向する面、および、前記開閉部の面のうちの前記本体部に対向する面、のうちの少なくとも一方が、互いに対向する面に突条部を有すること、が好ましい。
【００１４】
このように複数の突条部が存在すると、前記本体部と前記開閉部とが閉じた状態（接触した状態）で、両者間により確実にトイレットペーパーなどを把持することができ、本考案の清掃用具をより効果的にトイレの清掃に用いることができる。
【００１５】
さらに、前記開閉部は、ヒンジ部を介して前記本体部に開閉可能に設けられていること、が好ましい。
【００１６】
このような構成によれば、前記本体部に簡易な構造で前記開閉部を設けることができ、製造工程上も有利である。
【考案の効果】
【００１７】
本考案によれば、衛生的で手が汚れることがなく、かつコストがかからない清掃用具であって、特にトイレの清掃に好適な清掃用具を提供することができる。
【考案を実施するための最良の形態】
【００１８】
以下、図面を参照しながら本考案の好適な実施の形態について説明する。図１は、本考案の一実施の形態に係る清掃用具１の斜視図であり、図２は、本実施の形態に係る清掃用具１の右側面図（図１おいて矢印Ａの向きから清掃用具１をみた場合の図）である。また、図３は、本実施の形態に係る清掃用具１の別の状態を示す斜視図（図１に示す清掃用具１の別の状態を示す斜視図）である。
【００１９】
ここで、参考のため、図４〜図６を添付する。図４は、本実施の形態に係る清掃用具１の上面図（図１において矢印Ｂの向きから清掃用具１をみた場合の図）であり、図５は、本実施の形態に係る清掃用具１の正面図（図１おいて矢印Ｃの向きから清掃用具１をみた場合の図）である。
【００２０】
また、図６は、本実施の形態に係る清掃用具１の背面図（図１おいて矢印Ｄの向きから清掃用具１をみた場合の図）である。本実施の形態に係る清掃用具１の左側面図は、図２に示す右側面図と対称であり、本実施の形態に係る清掃用具１の下面図は、省略する。
【００２１】
図１および図２に示すように、本実施の形態に係る清掃用具１は、グリップ部２と、グリップ部２に固定して設けられた略板状の本体部４と、本体部４に開閉可能に設けられた略板状の開閉部６と、本体部４に摺動可能に設けられ、開閉部６が閉じた状態で、本体部４および開閉部６の周囲を覆って固定する環状の固定用カバー８と、を具備する。
【００２２】
より具体的に説明すると、グリップ部２は、かかる形状に限定されるわけではないが、略アーチ状の形状を有し、握り易く手が汚れにくいように、一定の長さを有している。また、グリップ部２の表面は曲面状で、グリップ部２の裏面には両側にそれぞれ４つの円弧状凹部２ａ1、２ａ2、２ａ3および２ａ3が設けられている（図６参照）。
【００２３】
このような略アーチ状の形状ならびに４つの円弧状凹部２ａ1、２ａ2、２ａ3および２ａ3により、グリップ部２にある程度の強度が確保されている。ただし、略アーチ状の形状ならびに４つの円弧状凹部２ａ1、２ａ2、２ａ3および２ａ3が無くても、本考案の効果は得られる。
【００２４】
また、グリップ部２は、例えば略アーチ状の形状と、４つの円弧状凹部２ａ1、２ａ2、２ａ3および２ａ3と、のいずれか一方を有していても両方を有していてもよい。さらには、グリップ部２は略アーチ状の形状でなくてもよく、円弧状凹部を設ける場合のその個数は４つでなくてもよく、円弧状凹部とは異なる形状の凹部を設けてもよい。
【００２５】
なお、グリップ部２の後方端部には、清掃用具１を吊り下げ具へ吊り下げたり吊り下げ用の紐を通したりするための開口部２ｂが設けられている。開口部２ｂの形状は特に制限されるものではない。
【００２６】
つぎに、グリップ部２には固定して略板状の本体部４が設けられている。この本体部４は、グリップ部２との接続部分２ａでグリップ部２と一体的に成形されており、略水平方向に延びている。そして、本体部４には、本体部４に摺動可能な態様で環状の固定用カバー８が設けられている。
【００２７】
この固定用カバー８は、図１および図２に示す矢印Ｘ1の向きに摺動させることができる。固定用カバー８を矢印Ｘ1の向きに摺動させた後の清掃用具１の状態を示すのが図３である。図３に示すように、本体部４の上面（すなわち、開閉部６に対向する面と反対側の面）には、矢印Ｘ2の向きに徐々に高くなる形状を有する傾斜部４ａが設けられている。
【００２８】
図３に示すように、本体部４には、ヒンジ１０を介して矢印Ｙの方向に開閉可能に略板状の開閉部６が設けられている。固定用カバー８を図３に示す位置に摺動させた状態では、開閉部６は下方に開くことになる。開閉部６ｂの下面（すなわち、本体部４に対向する面と反対側の面）にも、本体部４と同様の傾斜部６ａが設けられている（図５参照）。
【００２９】
これら傾斜部４ａおよび傾斜部６ａは、図１における矢印Ａの向きからみた場合に、互いに対向する位置に設けられている。このような傾斜部４ａおよび傾斜部６ａが設けられていることにより、固定用カバー８を図１および図２において示される位置まで摺動させた場合（すなわち、図３において矢印Ｘ2で示される向きに摺動させた場合）、固定用カバー８は、傾斜部４ａおよび傾斜部６ａの位置で、閉じて互いに接触した状態の本体部４および開閉部６の周囲を覆うとともに両者を固定する。
【００３０】
固定用カバー８は、本体部４に通された形態で設けられており、上述のように本体部４を傾斜部４ａおよび傾斜部６ａの位置から、グリップ部２と本体部４との接続部分２ｃとの間までを摺動可能である。開閉部６が開いた状態では、図３に示すように、固定用カバー８はヒンジ部１０と接続部分２ｃとの間に位置することになる。
【００３１】
固定用カバー８の形状は、環状で、本体部４に摺動可能に設けられ、本体部４および開閉部６を閉じて接触させた状態で固定するという機能を発揮するのであれば、他にも種々の形状を取り得る。例えば、完全な環状でなくても、一部に切り込みが設けられた不連続な略環状であってもよい。場合によっては、コの字状の部材を２つ対向させて用いてもよい。
【００３２】
ここで、それぞれ本体部４および開閉部６の先端部分４ｂおよび先端部分６ｂには、トイレットペーパーなどを把持し易いように、それぞれ複数の突条部４ｃおよび６ｃが設けられている（図２参照）。このような突条部４ｃおよび６ｃが設けられていることにより、トイレットペーパーなどをより確実に把持することができ、効果的に清掃に用いることができる。
【００３３】
図１においては、固定用カバー８の側面および上面にそれぞれ複数の突条部８ａおよび複数の突条部８ｂが設けられている。このような突条部８ａおよび突条部８ｂの部分で固定用カバー８を掴んで動かすことにより、本体部４に対する固定用カバー８の摺動を容易に行うことができる。
【００３４】
上述した本実施の形態に係る清掃用具１の構成部材は、すべてポリプロピレンなどの熱可塑性樹脂などを用いて成形法によって製造することができる。その製造条件などについては、従来公知の方法にしたがって設定すればよい。
【００３５】
ここで、本実施の形態に係る清掃用具１の使用方法について説明する。まず、上述したように、固定用カバー８がヒンジ部１０と接続部分２ｃとの間に位置する状態で（図２参照）、開閉部６を矢印Ｙの方向に開いて本体部４と非接触の状態にする。
【００３６】
この状態で、使用者は、例えば所定の長さで切り取ったトイレットペーパー片を、開閉部６において突条部８ｂが設けられている先端部分６ｂに巻き付ける。このときのトイレットペーパー片の長さは、使用者が適宜調整することができ、最初に巻き付けたトイレットペーパー片が短かった場合には、追加的にトイレットペーパー片を切り取って巻き付ければよい。
【００３７】
ついで、トイレットペーパー片を巻き付けた開閉部６を矢印Ｙの方向において本体部４側に閉じ、固定用カバー８を本体部４の傾斜部４ａおよび開閉部６の傾斜部６ａの側（図３において矢印Ｘ2で示される向き）に摺動させ、図１および図２に示すような状態にする。
【００３８】
このとき、開閉部６に巻き付けられたトイレットペーパー片は、開閉部６の先端部分６ｄから外側（すなわち、図１における開閉部６においてグリップ部２側とは反対の側）に出るように巻き付けられているほうが、清掃の用に供するためには好ましい。
【００３９】
このような状態で、グリップ部２を握って清掃用具１を用いれば、例えばトイレ内に飛び散った尿や便器や床に付着した汚れを、手を汚さずに綺麗に拭き取ることができ、トイレの清掃を効果的に行うことができる。
【００４０】
そして、開閉部６に巻き付けたトイレットペーパー片が清掃によって汚れた場合には、清掃用具１を便器の上に持っていき、固定用カバー８を図１および図２において矢印Ｘ1で示される向きに摺動させれば、開閉部６を下方に開かせるとともに汚れたトイレットペーパー片を手で触れることなく便器に捨てることができる。
【００４１】
このように、本実施の形態によれば、開閉部６にコストの安いトイレットペーパー片を巻きつけ、開閉部６が本体部４に対して閉じ、固定用カバー８で本体部４および開閉部６の周囲を覆って固定することにより、手を汚さずに清掃をすることができるとともに用いたトイレットペーパー片を捨てることができ、清掃用具１も衛生的である。
【００４２】
以上、本考案の代表的な実施の形態について説明したが、本考案はこれらのみに限定されるものではない。例えば、グリップ部２、本体部４、開閉部６および固定用カバー８について、図面に示された特定の形状について説明したが、本考案はこれらのみに限定されるものではない。
【００４３】
本考案の清掃用具は、グリップ部と、前記グリップ部に固定して設けられた略板状の本体部と、前記本体部に開閉可能に設けられた略板状の開閉部と、前記本体部に摺動可能に設けられ、前記開閉部が閉じた状態で、前記本体部および前記開閉部の周囲を覆って固定する環状の固定用カバーと、を具備し、本考案の作用効果を発揮して、衛生的で手が汚れることがなく、かつコストがかからず、特にトイレの清掃に適しているという効果を実現し得る限りは、種々の設計変更が可能である。
【産業上の利用可能性】
【００４４】
本考案に係る清掃用具は、主としてトイレの清掃に最適であるが、その他にも家屋や車のガラス窓、流し台、風呂場、洗面所などの清掃用の清掃用具としての応用も考えられる。
【図面の簡単な説明】
【００４５】
【図１】本考案の一実施の形態に係る清掃用具１の斜視図である。
【図２】本実施の形態に係る清掃用具１の右側面図（図１おいて矢印Ａの向きから清掃用具１をみた場合の図）である。
【図３】本実施の形態に係る清掃用具１の別の状態を示す斜視図（図１に示す清掃用具１の別の状態を示す斜視図）である。
【図４】本実施の形態に係る清掃用具１の上面図（図１において矢印Ｂの向きから清掃用具１をみた場合の図）である。
【図５】本実施の形態に係る清掃用具１の正面図（図１おいて矢印Ｃの向きから清掃用具１をみた場合の図）である。
【図６】本実施の形態に係る清掃用具１の背面図（図１おいて矢印Ｄの向きから清掃用具１をみた場合の図）である。
【符号の説明】
【００４６】
１・・・清掃用具、
２・・・グリップ部、
２ａ1、２ａ2、２ａ3および２ａ3・・・円弧状凹部、
２ｂ・・・開口部、
２ｃ・・・接続部分、
４・・・本体部、
４ａ、６ａ・・・傾斜部、
４ｂ、６ｂ・・・先端部分、
４ｃ、６ｃ・・・突条部、
６・・・開閉部、
８・・・固定用カバー、
８ａ、８ｂ・・・突条部、
１０・・・ヒンジ部。
【図１】
0003140187.tif 000003
【図２】
0003140187.tif 000004
【図３】
0003140187.tif 000005
【図４】
0003140187.tif 000006
【図５】
0003140187.tif 000007
【図６】
0003140187.tif 000008